(57)【要約】【課題】  このシステムはインターネットになじめない人であっても、容易に所望のコンテンツを閲覧できる受信システムを提供する。【解決手段】  ネットワーク上に配置されたコンテンツを一意に特定するコンテンツ識別子を表示するコンテンツ識別子表示手段と、ユーザからのコンテンツ識別子の入力を受け付け、これを送信する送信用ユーザ端末装置と、前記送信用ユーザ端末装置よりコンテンツ識別子を受け取り、コンテンツ識別子をそのコンテンツのアドレスに変換してコンテンツのデータを取得し、送信するコンテンツ配信サーバと、前記コンテンツ配信サーバよりコンテンツのデータを受け取り、コンテンツを表示する受信用ユーザ端末装置とを有している受信システム。【選択図】  図１
2004164663.tif 000002
【特許請求の範囲】
【請求項１】
ネットワーク上に配置されたコンテンツを一意に特定するコンテンツ識別子を表示するコンテンツ識別子表示手段と、
ユーザからのコンテンツ識別子の入力を受け付け、これを送信する送信用ユーザ端末装置と、
前記送信用ユーザ端末装置よりコンテンツ識別子を受け取り、コンテンツ識別子をそのコンテンツのアドレスに変換してコンテンツのデータを取得し、送信するコンテンツ配信サーバと、
前記コンテンツ配信サーバよりコンテンツのデータを受け取り、コンテンツを表示する受信用ユーザ端末装置と
を有することを特徴とする、受信システム。
【請求項２】
前記コンテンツ識別子表示手段は、点字を表示可能な本又は電子辞書であることを特徴とする、請求項１に記載の受信システム。
【請求項３】
請求項１に記載の受信システムにおいて、前記コンテンツ配信サーバと受信用ユーザ端末装置との通信は、コンテンツ配信サーバから受信用ユーザ端末装置への一方向通信により行われることを特徴とする、受信システム。
【請求項４】
請求項１又は２に記載の受信システムにおいて、前記コンテンツ識別子表示手段は、コンテンツ識別子が検索可能に配列され、表示された媒体であることを特徴とする、受信システム。
【請求項５】
前記コンテンツ配信サーバのコンテンツ配信記録を受け取り、コンテンツの配信に応じてコンテンツ提供者に対する課金額を管理する課金サーバをさらに有することを特徴とする、請求項１に記載の受信システム。
【請求項６】
前記コンテンツ配信サーバは、受信用ユーザ端末装置の所在地点を示す位置情報を予め記憶しており、この位置情報に応じた地図情報をその受信用ユーザ端末装置に配信することを特徴とする、請求項１に記載の受信システム。
【請求項７】
前記コンテンツ配信サーバは、受信用ユーザ端末装置の所在地点を示す位置情報を送信用ユーザ端末装置を経由して取得し、この位置情報に応じた地図情報をその受信用ユーザ端末装置に配信することを特徴とする、請求項１に記載の受信システム。
【請求項８】
前記コンテンツ配信サーバは、送信用ユーザ端末装置の所在地点を示す位置情報を取得し、この位置情報に応じた地図情報を受信用ユーザ端末装置に配信することを特徴とする、請求項１に記載の受信システム。
【発明の詳細な説明】
【技術分野】
【０００１】  本発明は、受信システムに関し、より詳しくはネットワークを介して閲覧可能な、文書、画像、音声、音楽などのコンテンツをユーザの要求に応じて閲覧させるための、受信システムに関する。
【背景技術】
【０００２】  近年の通信技術の発達、通信インフラの整備・普及に伴い、いわゆるインターネットを利用して様々なコンテンツがユーザに供給されるようになり、ユーザ側もインターネットによるコンテンツの配信（映画、音楽、電子書籍）を受けたり、オンラインショッピング、ニュースの閲覧など様々なサービスを一般生活のレベルで享受できるようになってきている。【０００３】  かかる状況では、コンテンツの閲覧の需要は、ネットワークに関する知識やコンピュータの操作に習熟した人たちのみならず、ネットワークやコンピュータに縁の無かった人たちの間にも急速に広がっている。
【発明の開示】
【発明が解決しようとする課題】
【０００４】  しかし、ネットワークの利用が拡大するにつれて膨大な数のコンテンツがネットワークを介して利用できるようになっているがコンテンツの数の増加に比例して、これらの中から自分が所望するコンテンツを探し当てて、閲覧することの困難さが増大していっている。特に、ネットワークやコンピュータに縁の無かった人たちにとっては、コンテンツを探し当てるように適切に検索エンジンなどを利用する知識を有さないことが多いため、より一層自分が所望するコンテンツを探し当てることが難しくなっている。【０００５】  本発明の目的は、このシステムはインターネットになじめない人であっても、容易に所望のコンテンツを閲覧できる受信システムを提供することにある。【０００６】  本発明の別の目的は、コンテンツの提供者と受信端末を利用することによりインターネットにかかる通信費及び時間の負担を軽減することでインターネットがより身近になる。【０００７】  本発明のさらに別の目的は、データの受信のみを行うユーザ端末装置を利用することにより、例えばコンピュータウイルスに感染したコンテンツをダウンロードしても他のコンピュータにウイルスの感染を拡げることのない受信システムを提供することにある。
【課題を解決するための手段】
【０００８】  上記課題を解決するための手段として、本発明は以下のような特徴を有している。
本発明は、ネットワークを介して利用可能なコンテンツを配信するための受信システムとして提案される。【０００９】  この受信システムは、ネットワーク上に配置されたコンテンツを一意に特定するコンテンツ識別子を表示するコンテンツ識別子表示手段と、ユーザからのコンテンツ識別子の入力を受け付け、これを送信する送信用ユーザ端末装置と、前記送信用ユーザ端末装置よりコンテンツ識別子を受け取り、コンテンツ識別子をそのコンテンツのアドレスに変換してコンテンツのデータを取得し、送信するコンテンツ配信サーバと、前記コンテンツ配信サーバよりコンテンツのデータを受け取り、コンテンツを表示する受信用ユーザ端末装置とを有することを特徴としている。【００１０】  上記受信システムにおいて、前記コンテンツ配信サーバと受信用ユーザ端末装置との通信は、コンテンツ配信サーバから受信用ユーザ端末装置への一方向通信により行われるようにしてもよい。かかる構成によれば、受信用ユーザ端末装置が悪意のプログラム（コンピュータウイルスなど）に汚染されても、他に汚染を拡散することなく、かつ受信用ユーザ端末装置に格納された情報が意図に反して漏洩することも起こらない。【００１１】  またさらに、上記受信システムにおいて、前記コンテンツ識別子表示手段は、コンテンツ識別子が検索可能に配列され、印刷された紙媒体であることを特徴としている。かかる構成によれば、コンピュータや検索委エンジンの操作知識に乏しい人であっても、ネットワーク上にて移用された様々なコンテンツを利用することが可能となる。
【発明の効果】
【００１２】  本発明によれば、ネットワークを介して利用可能なコンテンツを簡単な操作で容易に取得することが可能となる。
本発明の別の態様によれば、ネットワーク端末が悪意のプログラム（コンピュータウイルスなど）に汚染されても、他に汚染を拡散することなく、かつ意図しない情報の漏洩も起こらないシステムを提供することが可能となる。
【発明を実施するための最良の形態】
【００１３】  以下、図面を参照しながら本発明の実施の形態について説明する。
［１．受信システムの構成例］
図１は、本実施の形態にかかる受信システムの構成例を示すブロック図である。【００１４】  本受信システム１は、ネットワーク２に接続可能な送信用ユーザ端末装置３と、ネットワーク２に接続されたコンテンツ配信サーバ４と、ネットワークに接続可能な受信用ユーザ端末装置５と、ユーザが送信用ユーザ端末装置３からコンテンツ配信サーバ４に送信するコンテンツ識別子を提示するコンテンツ識別子提示手段６を有している。以下、受信システム１の各構成要素について説明する。【００１５】  ［１，１．ネットワーク］
ネットワーク２は、有線・無線、専用回線・交換回線を問わず、これに接続されている装置がそれぞれ目的とする装置に対しセッションを確立したときにその装置間でのデータの送受信を可能とするように作用する。ネットワーク２は、インターネットのように、ゲートウエイを介して複数の通信網が組み合わされて実現しても構わない。たとえば、ユーザ端末装置３が携帯電話機である場合には、携帯電話網とゲートウエイを介してこの携帯電話網に接続されたデータ通信網によりネットワーク２が構成されるようにしてもよい。また、その接続についてもいわゆるバックボーンといわれる基幹線に直接接続せずとも、ＰＰＰ（Ｐｏｉｎｔ  ｔｏ  Ｐｏｉｎｔ  Ｐｒｏｔｏｃｏｌ）接続などによって一時的に接続してあっても、セッションを確立したときにその間でデータの送受信ができるようになっていれば構わない。なお、上記ネットワーク２は専用回線を固定的に張りめぐらせたような、交換機を用いないネットワーク（通信網）も含むものとする。【００１６】  ［１．２．送信用ユーザ端末装置］
送信ユーザ端末装置３は、ユーザが所望するコンテンツに対応したコンテンツ識別子の入力を受け付け、このコンテンツ識別子をネットワークを介してコンテンツ配信サーバ４に送信する機能を有する。【００１７】  送信ユーザ端末装置３は、ネットワーク２を介してコンテンツ配信サーバ装置４に接続可能な情報処理装置であって、画像配信サーバ４に指定されたコンテンツ識別子を送信可能な情報処理装置であればどのような装置でもよい。送信用ユーザ端末装置３は、たとえば、携帯電話機、コンピュータ、移動体通信端末、ＰＤＡ（Ｐｅｒｓｏｎａｌ  Ｄｉｇｉｔａｌ  Ａｓｓｉｓｔａｎｔ）、固定電話機、ＩＰ電話端末などである。【００１８】  ［１．３．コンテンツ配信サーバ］
コンテンツ配信サーバ４は、送信用ユーザ端末装置３からコンテンツ識別子を受け取ると、このコンテンツ識別子に対応したコンテンツを格納するＷＷＷ（Ｗｏｒｌｄ  Ｗｉｄｅ  Ｗｅｂ）サーバ７などからそのコンテンツのデータを取得し、このコンテンツのデータを指定された受信用ユーザ端末装置５に送信する機能を有する。【００１９】  コンテンツ配信サーバ４は、たとえばコンピュータ、ワークステーションなどの情報処理装置であって、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している情報処理装置である。このコンテンツ配信サーバ４として機能する情報処理装置は、前記ＲＯＭ、もしくはハードディスク装置などに情報処理装置をコンテンツ配信サーバ４として機能させるためのプログラム、もしくはコンテンツ配信方法を情報処理装置に実行させるためのプログラムが記憶されており、該プログラムを主メモリ上に載せ、ＣＰＵがこれを実行することによりコンテンツ配信サーバ４が実現され、若しくはコンテンツ配信方法が実行される。また、上記プログラムはからなずしも情報処理装置内の記憶装置に記憶されていなくともよく、外部の装置（例えば、ＡＳＰ（アプリケーション・サービス・プロバイダ）のサーバなど）から提供され、これを主メモリに乗せる構成であっても良い。【００２０】  図２にコンテンツ配信サーバ４の構成例を示す。コンテンツ配信サーバ４は、送信用ユーザ端末装置３からコンテンツ識別子を受け取り可能なコンテンツ識別子・アドレス変換部２０１と、コンテンツ識別子・アドレス変換部２０１に読み取り可能に接続されたコンテンツ識別子データベース２０２と、コンテンツ識別子・アドレス変換部２０１に接続された認証部２０３と、認証部２０３に接続された会員データベース２０４と、コンテンツ識別子・アドレス変換部２０１に接続されているとともにＷＷＷサーバ７などに接続可能なコンテンツ取得部２０５と、コンテンツ取得部２０５に接続されたコンテンツ記憶部２０６と、コンテンツ記憶部２０６に接続されているとともに、受信用ユーザ端末装置５へ接続可能な配信部２０７とを有している。また、コンテンツ取得部２０５と配信部２０７とは課金サーバ８に接続されている。なお、ここに言う「接続されている」とは、物理的・電気的に接続されていること、およびプログラム、プログラムのモジュール、オブジェクト間におけるデータの受け渡しが行われることの双方を含む。【００２１】  コンテンツ識別子・アドレス変換部２０１は、送信用ユーザ端末装置３から送られたコンテンツ識別子を受け取り、コンテンツ識別子データベース２０２を参照して、そのコンテンツ識別子に対応するコンテンツのネットワーク上の所在地を示す情報（例えば、ＩＰアドレス、ＵＲＬ（Ｕｎｉｖｅｒｓａｌ  Ｒｅｓｏｕｒｃｅ  Ｌｏｃａｔｏｒ）、ＵＲＩ（Ｕｎｉｖｅｒｓａｌ  Ｒｅｓｏｕｒｃｅ  Ｉｄｅｎｔｉｆｉｅｒ）など；以下、「アドレス」と呼ぶ）を特定し、特定したアドレスをコンテンツ取得部２０５に渡すように機能する。また、コンテンツ識別子・アドレス変換部２０１は、送信用ユーザ端末装置３からユーザを特定する情報（例えば、ユーザＩＤ）を取得し、これを認証部２０３に渡して当該ユーザがサービス利用権限を有するか確認して貰い、利用権限を有する場合のみアドレスを取得するように動作してもよい。【００２２】  コンテンツ識別子データベース２０２は、コンテンツ識別子とアドレスを対応付けて記憶し、コンテンツ識別子を渡されると、これに対応するアドレスを返すように動作する。図３は、コンテンツ識別子データベース２０２の記憶内容の例を示す図である。コンテンツ識別子データベース２０２が記憶するデータは、各コンテンツ識別子について一のレコードＲ３０１，Ｒ３０２、…があり、各レコードＲ３０１，Ｒ３０２、…は、コンテンツ識別子を格納するコンテンツ識別子フィールド３０１と、コンテンツ識別子フィールド３０１に格納されたコンテンツ識別子に対応付けられたコンテンツのアドレスを格納するアドレスフィールド３０２とを有している。なお、この図に示す例では、アドレスとしてＵＲＬを格納しているが、アドレスとして利用可能な情報がＵＲＬに限られることを意味するものではない。【００２３】  図２に戻り、コンテンツ配信サーバ４の構成例の説明を続ける。
認証部２０３は、送信用ユーザ端末装置３及び／又は受信用ユーザ端末装置５からユーザ識別情報を受け取り、当該ユーザ識別情報を有するユーザが本受信システムによるサービスを利用する権限を有しているか否かを判断する機能を有する。【００２４】  会員データベース２０４は、ユーザが本受信システムによるサービスを利用する権限を有しているか否かを判断するための情報を記憶する機能を有しており、たとえばユーザＩＤとパスワードを対応付けて記憶しており、ユーザＩＤとパスワードとが一致した場合にサービスを利用する権限を有していると判定できるようになっている。【００２５】  コンテンツ取得部２０５は、コンテンツ識別子・アドレス変換部２０１から、コンテンツ識別子に対応するアドレスを受け取り、そのアドレスに基づいてコンテンツの取得を行う機能を有する。たとえばコンテンツ取得部２０５は、そのアドレスに対してＨＴＴＰ（Ｈｙｐｅｒ  Ｔｅｘｔ  Ｔｒａｎｓｆｅｒ  Ｐｒｏｔｏｃｏｌ）のＧＥＴメソッドにより、該当するコンテンツのデータを要求し、あるいはＦＴＰ（Ｆｉｌｅ  Ｔｒａｎｓｆｅｒ  Ｐｒｏｔｏｃｏｌ）によりそのアドレスに対応するファイルをダウンロードするように動作する。【００２６】  コンテンツ記憶部２０５は、コンテンツ取得部２０５が取得したコンテンツのデータを少なくとも受信用ユーザ端末装置５に送信するまで記憶しておく機能を有する。【００２７】  配信部２０７は、受信用ユーザ端末装置５へ、コンテンツのデータを送信する機能を有する。コンテンツのデータの送信は、受信用ユーザ端末装置５からそのコンテンツのデータの送信要求に応じて行う方式であってもよいし、あるいはそのコンテンツのデータの送信要求によることなく、配信部２０７が自律的・自動的に受信用ユーザ端末装置５に宛ててそのコンテンツのデータの送信を行う方式であってもよい。なお、受信用ユーザ端末装置５の宛先は、予め送信用ユーザ端末装置３からのコンテンツ配信要求に含ませておくようにしてもよいし、コンテンツ配信サーバ４やコンテンツ配信サーバ４外部に、送信用ユーザ端末装置３と受信用ユーザ端末装置５の対応付けを記憶しておき、これを参照して受信用ユーザ端末装置５の宛先を取得するようにしてもよい。【００２８】  コンテンツ取得部２０５、配信部２０７は、受信用ユーザ端末装置５にコンテンツの配信を行うことをトリガとして、課金サーバ８に対し、そのコンテンツの提供者、及び／又はユーザに対して所定料金を課金するように要求する。例えば、コンテンツの提供者に対しては、情報配信量として１回の配信当たりＸ円、ユーザに対しては１回の情報利用に対してＹ円を課金するように、課金サーバ８に要求することが一例として考えられる。【００２９】  ［１．４．受信用ユーザ端末装置］
図１に戻り、本実施の形態にかかる受信システムの構成例について説明を続ける。
受信用ユーザ端末装置５は、コンテンツ配信サーバ４より提供されたコンテンツのデータを受信し、このデータに基づいてコンテンツをユーザに了知可能な態様で出力することが可能な情報処理装置であって、たとえばコンピュータ、ワークステーション、ネットワーク接続機能を有するゲーム機、ネットワーク接続機能を有するテレビ、携帯電話機、ＩＰ電話端末、ファクシミリなどである。【００３０】  ネットワーク２と受信用ユーザ端末装置５との間は、双方向の通信であってもよいが、ネットワーク２から受信用ユーザ端末装置５への一方向通信により、コンテンツのデータが送られるようにしてもよい。かかる一方向通信によりコンテンツを送信することとすれば、仮にコンピュータウイルスなどの悪意のプログラムが受信用ユーザ端末装置５に入ってしまっても、受信用ユーザ端末装置５から送信が出来ないため、悪意のプログラムが受信用ユーザ端末装置５からネットワーク２を介して他のネットワーク端末へ拡散することを防止することが出来、また受信用ユーザ端末装置５が格納した重要な情報を外部へ転送されてしまうということも防止でき、極めてセキュリティの高いネットワーク端末として機能させることが可能になる。【００３１】  ［１．５．コンテンツ識別子提示手段］
コンテンツ識別子提示手段６は、ユーザが所望のコンテンツを検索可能な態様で、コンテンツとコンテンツ識別子とを対応付けてユーザに提示する手段である。コンテンツ、コンテンツ識別子をユーザに提示する方法は、視覚による方法（例えば、印刷物、モニタによる表示など）、聴覚による方法（合成音声による自動読み上げ装置など）、触覚による方法（点字など）などいずれでもよい。【００３２】  コンテンツ識別子提示手段６の例としては、コンテンツを検索可能に分類して列挙した印刷物が考えられる。図４に、コンテンツ識別子提示手段６である印刷物の例を図示する。この印刷物には、従来の電話帳のように、会社、事業者などが業種ごとに分類されて提示されており、各会社、事業者など（４０１）についての情報（会社案内、事業案内）を示すコンテンツに対応付けされたコンテンツ識別子４０２が表示されている。ユーザは、この印刷物から所望のコンテンツに対応するコンテンツ識別子を検索し、このコンテンツを送信用ユーザ端末装置３に入力して、コンテンツ配信サーバ４にそのコンテンツのデータの取得・配信を要求することとなる。【００３３】  ［１．６．ＷＷＷサーバ７など］
ＷＷＷサーバ７は、コンテンツを格納しており、コンテンツ配信サーバ４などからのコンテンツ配信要求を受け取ると、所定の方式でコンテンツのデータを送信する機能を有する。「コンテンツ」は、文字、画像（静止画、動画双方を含む）、音声、音楽およびこれら２以上の組み合わせを含む。なお、「コンテンツ」はＨＴＭＬ文書などのように予め生成されたものであってもよいし、ＣＧＩ、ＰＨＰ、ＪＡＶＡなどによって動的に生成されるものであってよいし、アプレットのようなクライアント側で動作するプログラムであってもかまわない。【００３４】  ［１．７．課金サーバ］
課金サーバ８は、コンテンツ配信サーバ４のコンテンツ配信動作に応じて、コンテンツの提供者、及び／又はコンテンツを閲覧するユーザに対する料金を計算する機能を有する。なお、料金の請求の方法は、課金サーバ８が銀行やクレジットカード会社の決済システムに課金額を通知して決済を行って貰う方法、課金サーバ８が請求書を出力してこれを請求先に送付する方法、などが考えられるがどのような方法であってもかまわない。【００３５】  ［２．受信システムの動作例］
次に、上記受信システム１の動作例について、図５を参照しながら説明する。図５は受信システム１の動作例を示すシーケンス図である。【００３６】  まず、ユーザはコンテンツ識別子提示手段６を用いて、所望のコンテンツに対応するコンテンツ識別子を特定する。例えば、ユーザが××市にある○○医院を探している場合、図４に示す［医療機関］の項目から、○○医院を探し、これに対応するコンテンツ識別子「イ−００００１」を特定する。【００３７】  次に、ユーザは、このコンテンツ識別子を送信用ユーザ端末装置３に入力する（ステップＳ５０１）。
続いて、ユーザはこのコンテンツ識別子を送信用ユーザ端末装置３からネットワーク２を介してコンテンツ配信サーバ４に送信させる（ステップＳ５０２）。【００３８】  コンテンツ識別子を受信したコンテンツ配信サーバ４は、このコンテンツ識別子を対応するアドレス（例えばＵＲＬ）に変換し（ステップＳ５０４）、そのアドレスに該当するＷＷＷサーバ７などに、コンテンツデータの送信要求を送る（ステップＳ５０４）。
コンテンツ送信要求を受け取ったＷＷＷサーバ７は、送信要求にかかるコンテンツデータをコンテンツ配信サーバ４に送信する（ステップＳ５０５）。【００３９】  コンテンツデータを受け取ったコンテンツ配信サーバ４は、コンテンツデータを記憶しておく（ステップＳ５０６）。次に、コンテンツ配信サーバ４は、そのコンテンツの送信先となる受信用ユーザ端末装置５のアドレスを特定する（ステップＳ５０７）。ついで、コンテンツ配信サーバ４は、ステップＳ５０７において特定したアドレスにステップＳ５０６で記憶したコンテンツデータを送信する（ステップＳ５０８）。【００４０】  コンテンツデータを受信した受信用ユーザ端末装置２は、コンテンツデータを処理してユーザに了知可能な情報として出力する（ステップＳ５０９）。たとえば、受信用ユーザ端末装置２は、画像データ、音声データ、点字データなどとして画像モニタ、スピーカ、点字生成装置などにより出力され、ユーザにコンテンツを提示することとなる。【００４１】  一方、コンテンツデータを受信用ユーザ端末装置５に送信すると、コンテンツ配信サーバ４は課金サーバ８に対して所定の課金を行うよう課金要求を送信する（ステップＳ５１０）。課金サーバ８は、コンテンツ配信サーバ４からの課金要求に従って課金処理を実行し、受信システムの利用料をコンテンツの提供者及び／又はユーザに請求できるようにしている。
以上で、受信システム１の動作の説明を終了する。【００４２】  ［３．変形例］
（１）コンテンツ配信サーバ４は、送信用ユーザ端末装置３又は受信用ユーザ端末装置５の所在位置を示す地図情報、たとえばこれら端末装置の所在位置を明示した電子マップデータを受信用ユーザ端末装置５に配信するようにしてもよい。これらの所在位置は、送信用ユーザ端末装置３又は受信用ユーザ端末装置５が固定的に設置されているものであれば、予め送信用ユーザ端末装置３又は受信用ユーザ端末装置５の識別情報と位置情報（緯度、経度情報など）を対応付けてコンテンツ配信サーバ４に記憶させておけばよい。送信用ユーザ端末装置３又は受信用ユーザ端末装置５が移動可能な装置である場合には、これら端末装置にＧＰＳユニットなど位置情報を取得する手段を搭載しておき、この位置情報を送信用ユーザ端末装置３からコンテンツ配信サーバ４に送信ｓするようにしてもよい。【００４３】  この構成によれば、ユーザは本受信システムを利用して現在位置を確認することが可能となり、外出先でも随時、現在位置や目的地までの経路や距離などを知ることが可能となる。【００４４】  （２）受信用ユーザ端末装置５は、着脱可能な記憶媒体（半導体記憶装置、ＣＤ、ＤＶＤなど）を搭載しており、コンテンツ配信サーバ４より配信されたコンテンツをこの記憶媒体に書き込むことができる。一の受信用ユーザ端末装置５から取り外された記憶媒体は、他の受信用ユーザ端末装置５に接続して、コンテンツの再生を行わせることもできる。【００４５】  ［４．利点］
（１）上記受信システム１によれば、所望の情報を容易な操作（例えば、ＵＲＬより単純な構成のコンテンツ識別子の入力）により所望の形態で受けることが出来る。【００４６】  （１）  上記受信システム１によれば、ユーザ（利用者）は、コンテンツの提供者（提供社）が提供するコンテンツに対応するコンテンツ識別子（専用ナンバー）により、必要なホームページ等の送信依頼をする。コンテンツの提供者（提供社）の提供するコンテンツは、送信用ユーザ端末装置３からの要求に従って、コンテンツ配信サーバ４により取得され、コンテンツ配信サーバ４より受信用ユーザ端末装置５へ送られる。コンテンツの提供者（提供社）は、一つの情報を複数の受信用ユーザ端末装置に送る為、通信コストは安くなり、ユーザ（利用者）は必要なサービスだけを受信する為、提供社への利用料で済み通信費及び時間の負担が軽減する。【００４７】  （２）  上記受信システム１によれば、自らがネットワーク端末を操作する知識が乏しい高齢者や機械になじめない人、また目や耳の不自由な人であっても、第三者の電話やメーラーを送信側ユーザ端末装置３として利用することにより、コンテンツの提供者（提供社）が供給する様々なサービスを受信側ユーザ端末装置５で取得し、映像や音楽を楽しむことができる。【００４８】  （３）  出張など出先で時間がない時などコンテンツ配信サーバ４に、所望のコンテンツの取得をさせておき、都合のよいときに受信用ユーザ端末装置５にダウンロードすることで、時間の負担も軽減する。
【図面の簡単な説明】
【００４９】
【図１】  受信システムの構成例を示すブロック図である。
【図２】  コンテンツ配信サーバの構成例を示す機能ブロック図である。
【図３】  コンテンツ識別子データベースの記憶内容例を示す図である。
【図４】  コンテンツ識別子提示手段の例を示す図である。
【図５】  受信システムの動作例を示すシーケンス図である。
【符号の説明】
【００５０】  １  …  受信システム
２  …  ネットワーク
３  …  送信用ユーザ端末装置
４  …  コンテンツ配信サーバ
５  …  受信用ユーザ端末装置
６  …  コンテンツ識別子提示手段
７  …  ＷＷＷサーバなど
８  …  課金サーバ
【図１】
2004164663.tif 000003
【図２】
2004164663.tif 000004
【図３】
2004164663.tif 000005
【図４】
2004164663.tif 000006
【図５】
2004164663.tif 000007